(57)【要約】【課題】  コンテンツ編集作業の操作性を向上させる。【解決手段】  コンテンツの編集を開始する際、編集対象であるプログラム管理情報に含まれるタイトルあるいはチャプター等の管理データをメモリの保存領域にコピーしてから、編集領域で編集を行う。編集の過程で、リスト中の個々のタイトルあるいはチャプターに対して行った処理を取り消す場合、取り消しを指示することで、編集領域の編集中データを削除した後、保存領域に保存した編集前の管理データに基づいて、編集領域に新たに編集対象のデータを復元するように構成した。  【選択図】図３
2006268967.tif 000002
【特許請求の範囲】
【請求項１】
記録媒体に記録されたコンテンツの管理情報に基づいて当該コンテンツの再生態様を設定するための編集機能を備えたコンテンツ記録再生装置において、
前記管理情報を編集領域に保存すると共に、同じ管理情報を保存領域に保存する編集準備手段と、
前記編集領域に保存された管理情報を加工して再生態様を決定するための編集データを生成する編集手段と、
前記編集手段による前記管理情報の加工後であっても、前記保存手段に保存された編集前の管理情報を、前記編集領域に復元する復元手段と、
を具備したことを特徴とするコンテンツ記録再生装置。
【請求項２】
記録媒体に記録されたコンテンツの管理情報に基づいて当該コンテンツの再生態様を決定するための編集機能を備えたコンテンツ記録再生装置において、
前記管理情報に基づいて再生態様を決定する編集データを編集領域に保存すると共に、同じ編集データを保存領域に保存する編集準備手段と、
前記編集領域に保存された編集データの管理情報を加工して再生態様を決定するための編集データを生成する編集手段と、
前記編集手段による前記編集データの加工後であっても、前記保存手段に保存された編集前の編集データを前記編集領域に復元する復元手段と、
を具備したことを特徴とするコンテンツ記録再生装置。
【請求項３】
前記編集データは、前記管理情報に基づき、タイトル内のチャプターを再生開始位置として特定するデータであることを特徴とする請求項１に記載のコンテンツ記録再生装置。
【請求項４】
前記編集データは、前記管理情報に基づき、複数のタイトルまたはチャプターの再生順序を特定するデータであることを特徴とする請求項２に記載のコンテン記録再生装置。
【請求項５】
前記編集領域に編集前の管理情報を復元する復元手段は、復元の前に当該編集領域をクリアする消去を実行するものであることを特徴とする請求項１または３のいずれかに記載のコンテンツ記録再生装置。
【請求項６】
前記編集領域に編集前の編集データを復元する復元手段は、復元の前に当該編集領域をクリアする消去を実行するものであることを特徴とする請求項２または４のいずれかに記載のコンテンツ記録再生装置。
【請求項７】
記録媒体に記録されたコンテンツの管理情報に基づいて当該コンテンツの再生態様を設定するための編集を行うコンテンツ編集方法であって、
前記管理情報を編集領域に保存すると共に、同じ管理情報を保存領域に保存するステップと、
前記編集領域に保存された管理情報を加工して再生態様を決定するための編集データを生成するステップと、
前記管理情報の加工後であっても、前記編集領域に前記保存手段に保存した編集前の管理情報を復元するステップと、
を具備したことを特徴とするコンテンツ編集方法。
【請求項８】
記録媒体に記録されたコンテンツの管理情報に基づいて当該コンテンツの再生態様を決定するための編集データを生成するコンテンツ編集方法において、
前記管理情報に基づいて再生態様を決定する編集データを編集領域に保存すると共に、同じ編集データを保存領域に保存するステップと、
前記編集領域に保存された編集データの管理情報を加工して再生態様を決定するための編集データを生成するステップと、
前記編集手段による前記編集データの加工後であっても、前記保存手段に保存された編集前の編集データを前記編集領域に復元するステップと、
を具備したことを特徴とするコンテンツ編集方法。
【発明の詳細な説明】
【技術分野】
【０００１】
この発明は、例えばＤＶＤ（Digital Versatile Disk）等の光ディスクにコンテンツを記録し、記録されたコンテンツを再生するコンテンツ記録再生装置に関し、特にそのコンテンツの編集を適切に実行できるようにしたコンテンツ記録再生装置及びコンテンツ編集方法に関する。
【背景技術】
【０００２】
ＤＶＤレコーダ等のコンテンツ記録再生装置にあっては、記録媒体として光ディスクの他、ＨＤＤ（Hard Disk Drive）を搭載するものが主流となってきており、そのような記録再生装置では、数百ＧＢ（Giga-Byte）の記録容量を持つようになる。
【０００３】
したがって、多数のプログラム（タイトル）を記録でき、また長時間のプログラムも記録できるため、ユーザは、編集を行って、タイトルをより視聴し易くしたい要望が必然的に発せられるようになる。
【０００４】
このため、例えば長時間の動画像プログラムを、所望の内容毎に区切る、いわゆるチャプター設定（分割）を行って、視聴したいシーンだけ自動的に抽出して視聴できるように編集することを可能にした編集装置が実用化されており、さらには、複数のプログラム（タイトル）あるいはチャプターの再生順序を自由に設定して、ユーザの好みの進行内容でプログラム（タイトル）を視聴できるように編集することを可能にした編集装置も実用化されている。
【０００５】
チャプターの設定は、記録されたままの全く編集が行われていないいわゆるオリジナルプログラムに対して行う編集であり、プログラムを再生して表示される映像を見ながら、区切りたいシーン位置でチャプター設定を実行することで、そのチャプター設定した位置をインデックスとして頭出し再生できるようになる。
【０００６】
また、複数のプログラムあるいはチャプターの再生順序を自由に設定することは、いわゆるプレイリストを作成するというということであり、視聴を作成したプレイリストによって実行させることにより、好みの視聴態様を実現することができる。
【０００７】
以上説明した内容の編集を行うことにより、好みの視聴態様で視聴を行うことができるようになるが、次の要望として、その編集作業をより簡単に行えるようにしたいということが出てくる。
【０００８】
そのような要望を満足するために、本件出願人は、先にプレイリストを簡単に作成できるようにすることを目的とした、特許文献１に示す出願を行っている。
【０００９】
すなわち、この特許文献１には、記録媒体に記録されている複数のタイトルをサムネイル表示し、その中から、プレイリストに登録するタイトルを選択するという作業を行うことが開示されている。さらに具体的に述べると、表示部に、記録されたタイトルをサムネイル表示する領域と、プレイリストとして選択されたタイトルを表示する領域を備え、サムネイル表示されたタイトルの中から選択したタイトルをプレイリスト表示領域に移動させることでそのタイトルをプレイリストに登録するという作業を実行するものである。
【００１０】
以上のように構成することにより、プレイリストを簡単に生成することができるため編集作業を容易に行うことが可能になるものである。
【特許文献１】特開２００２−１５２６６５号公報
【発明の開示】
【発明が解決しようとする課題】
【００１１】
以上説明したように、プレイリストを簡単に作成することのできる編集装置において、さらにその編集作業に多様性を持たせれば編集作業効率を向上させることができる。
【００１２】
本発明は以上の点に鑑みてなされたものであり、編集前のデータを一旦、保存手段に保存してから編集作業を行うように構成して、保存手段に保存されている編集前のデータによって、編集対象のデータを復元できるようにしたコンテンツ記録再生装置及びコンテンツ編集方法を提供することを目的とする。
【課題を解決するための手段】
【００１３】
この発明に係わるコンテンツ記録再生装置は、記録媒体に記録されたコンテンツの管理情報に基づいて当該コンテンツの再生態様を設定するための編集機能を備えたコンテンツ記録再生装置において、前記管理情報を編集領域に保存すると共に、同じ管理情報を保存領域に保存する編集準備手段と、前記編集領域に保存された管理情報を加工して再生態様を決定するための編集データを生成する編集手段と、前記編集手段による前記管理情報の加工後であっても、前記保存手段に保存された編集前の管理情報を、前記編集領域に復元する復元手段と、を具備したことを特徴とする。
【００１４】
また、この発明に係わるコンテンツ編集方法は、記録媒体に記録されたコンテンツの管理情報に基づいて当該コンテンツの再生態様を設定するための編集を行うコンテンツ編集方法であって、前記管理情報を編集領域に保存すると共に、同じ管理情報を保存領域に保存するステップと、前記編集領域に保存された管理情報を加工して再生態様を決定するための編集データを生成するステップと、前記管理情報の加工後であっても、前記編集領域に前記保存手段に保存した編集前の管理情報を復元するステップと、を具備したことを特徴とする。
【００１５】
さらにまた、この発明に係わるコンテンツ編集方法は、記録媒体に記録されたコンテンツの管理情報に基づいて当該コンテンツの再生態様を決定するための編集データを生成するコンテンツ編集方法において、前記管理情報に基づいて再生態様を決定する編集データを編集領域に保存すると共に、同じ編集データを保存領域に保存するステップと、前記編集領域に保存された編集データの管理情報を加工して再生態様を決定するための編集データを生成するステップと、前記編集手段による前記編集データの加工後であっても、前記保存手段に保存された編集前の編集データを前記編集領域に復元するステップと、を具備したことを特徴とする。
【発明の効果】
【００１６】
本発明によれば、編集の過程で例えば、意にそぐわない編集が行われてしまっても、その内容を編集前の内容に簡単に復元させることができるものである。
【発明を実施するための最良の形態】
【００１７】
以下、この発明の実施の形態について、図面を参照して詳細に説明する。図１は、この実施の形態で説明する記録再生装置を示している。この実施の形態は、記録媒体として、ＤＶＤ−ＲＡＭ（Random Access Memory）及びハードディスクの両方を取り扱うことができる記録再生装置として示しているが、いずれか一方のみの記録媒体を取り扱う装置に対しても、この発明は適用可能である。
【００１８】
図１の各ブロックを大きく分けると、左側には記録部の主なブロックを示し、右側には再生部の主なブロックを示している。
【００１９】
図１に示す記録再生装置１００における再生処理は、プログラムの再生順序を示すプログラムチェーン情報（ＰＧＣＩ）にしたがって行われ、このＰＧＣＩでは、複数のプログラム（ＰＧ）を指定することができ、ＰＧＣＩにはセルインフォメーション（ＣＩ）が定義されている。
【００２０】
そしてＣＩによりセルエントリーポイント（Ｃ＿ＥＰＩ）が指定され、再生すべき対象となるビデオオブジェクト（ＶＯＢ）が特定されることになる。また、記録順に再生するための特別なＰＧＣ（Program Chain）をオリジナルＰＧＣと称し、このオリジナルＰＧＣの情報は、ＯＲＧ＿ＰＧＣＩとして記録されている。
【００２１】
さらに、このときのビデオデータの属性情報（解像度情報、アスペクト情報、音声属性情報など）は、ビデオマネージメントインフォメーション（ＶＭＧＩ）内のストリームインフォメーション（ＳＴＩ）に記録される。また、上記したパックは、データ転送処理を行う最小単位である。さらに、論理上の処理を行う最小単位はセルで、論理上の処理はこの単位で行われる。したがって、録画が行われるときは、上記のフォーマットに合致する形式に記録信号が変換される。
【００２２】
記録再生装置１００は、ビデオファイルを構築できる情報記憶媒体である光ディスク１０１を回転駆動し、この光ディスク１０１に対して情報の読み書きを実行するディスクドライブ１０２と、ハーディスクドライブ（ＨＤＤ）１０３と、録画側を構成するエンコーダ部１０４と、再生側を構成するデコーダ部１０５と、装置本体の動作を制御するマイクロコンピュータブロック１０６とを、主たる構成要素としている。
【００２３】
エンコーダ部１０４は、ＡＤＣ（アナログデジタルコンバータ）１０７と、Ｖ(ビデオ)エンコーダと、Ａ（オーディオ）エンコーダと、ＳＰ（Sub Picture：副映像）エンコーダを含むエンコーダ群１０８と、各エンコーダの出力を所定のフォーマットに変換するフォーマッタ１０９と、バッファメモリ１１０とを備えている。
【００２４】
ＡＤＣ１０７には、ＡＶ入力部１１１から外部アナログビデオ信号及び外部アナログオーディオ信号が供給されるか、あるいはＴＶ（テレビジョン）チューナ１１２からのアナログビデオ信号及びアナログ音声信号が入力される。
【００２５】
ＡＤＣ１０７は、入力されたアナログビデオ信号を、例えばサンプリング周波数１３．５ＭＨｚ、量子化ビット数８ビットでデジタル化する。すなわち、輝度成分Ｙ、色差成分Ｃｒ（またはＹ−Ｒ）及び色差成分Ｃｂ（またはＹ−Ｂ）が、それぞれ８ビットで量子化されることになる。
【００２６】
同様に、ＡＤＣ１０７は、入力されたアナログオーディオ信号を、例えばサンプリング周波数４８ｋＨｚ、量子化ビット数１６ビットでデジタル化する。
【００２７】
なお、ＡＤＣ１０７にデジタルビデオ信号やデジタルオーディオ信号が入力されるときは、ＡＤＣ１０７は、デジタルビデオ信号やデジタルオーディオ信号をスルーパスさせる。そして、これらのデジタルビデオ信号及びデジタルオーディオ信号に対して、内容は改変することなく、ジッタ低減処理やサンプリングレート変更処理等は行なってもよい。
【００２８】
ＡＤＣ１０７から出力されたデジタルビデオ信号は、Ｖエンコーダを介してフォーマッタ１０９に送られる。また、ＡＤＣ１０８から出力されたデジタルオーディオ信号は、Ａエンコーダを介してフォーマッタ１０９に送られる。
【００２９】
Ｖエンコーダは、入力されたデジタルビデオ信号を、ＭＰＥＧ（Moving Picture Experts Group）２またはＭＰＥＧ１規格に基づいて、可変ビットレートで圧縮されたデジタル信号に変換する機能を持つ。また、Ａエンコーダは、入力されたデジタルオーディオ信号を、ＭＰＥＧまたはＡＣ−３（Audio Compression-3）規格に基づいて、固定ビットレートで圧縮されたデジタル信号またはリニアＰＣＭ（Pulse Code Modulation）のデジタル信号に変換する機能を持つ。
【００３０】
副映像情報がＡＶ入力部１１１から入力された場合（例えば副映像信号の独立出力端子付ＤＶＤビデオプレーヤからの信号）、あるいはこのようなデータ構成のＤＶＤビデオ信号が放送され、それがＴＶチューナ１１２で受信された場合は、ＤＶＤビデオ信号中の副映像信号（副映像パック）が、ＳＰエンコーダに入力される。ＳＰエンコーダに入力された副映像信号は、所定の信号形態にアレンジされて、フォーマッタ１０９に送られる。
【００３１】
フォーマッタ１０９は、バッファメモリ１１０をワークエリアとして使用しながら、入力されたビデオ信号、オーディオ信号、副映像信号等に対して所定の信号処理を施すことにより、所定のＤＶＤフォーマット（ファイル構造）に合致した記録データをデータプロセッサ１１３に出力する。
【００３２】
ここで、この記録再生装置１００は、エンコーダ部１０４でエンコードされた情報、及び、作成された管理情報を、データプロセッサ１１３を介してＨＤＤ１０３に供給し、ハードディスクに記録することができる。またハードディスクに記録された情報を、データプロセッサ１１３、ディスクドライブ１０２を介して光ディスク１０１に記録することもできる。さらにまた、エンコーダ部１０４でエンコードされた情報、及び、作成された管理情報をデータプロセッサ１１３、ディスクドライブ１０２を介して、光ディスク１０１に記録することもできる。
【００３３】
また、この記録再生装置１００は、ＨＤＤ１０３のハードディスクに記録されている情報が、光ディスク１０１のデータフォーマットと同じである場合、ハードディスクの情報を光ディスク１０１にエンコード処理することなく記録することができる。
【００３４】
またＨＤＤ１０３のハードディスクに記録されている情報が、光ディスク１０１のデータフォーマットと異なる場合は、ハードディスクから読み出した情報をエンコーダ部１０４でエンコードする。そしてエンコードされた情報を光ディスク１０１に記録することができる。
【００３５】
ここで、光ディスク１０１への記録データを作成するための標準的なエンコード処理内容を簡単に説明しておく。すなわち、エンコーダ部１０４において、エンコード処理が開始されると、ビデオ（主映像）データ及びオーディオデータをエンコード処理するにあたって必要なパラメータが設定される。
【００３６】
次に、設定されたパラメータを利用して主映像データがプリエンコード処理されることにより、設定された平均転送レート（記録レート）に最適な符号量の分配が計算される。プリエンコード処理で得られた符号量分配に基づき、主映像データのエンコード処理が実行される。このとき、オーディオデータのエンコード処理も同時に実行される。同様に、副映像データをエンコード処理するに必要なパラメータが設定され、エンコード処理された副映像データが作成される。
【００３７】
エンコード処理された主映像データ、オーディオデータ及び副映像データが組み合わされて、ビデオオブジェクトセット（ＶＯＢＳ）の構造に変換される。
【００３８】
すなわち、主映像データ（ビデオデータ）の最小単位としてセルが設定され、セル情報が作成される。次に、プログラムチェーン（ＰＧＣ）を構成するセルの構成や、主映像、副映像及びオーディオの属性等が設定され（これらの属性情報の一部は、各データをエンコードするときに得られた情報が利用される）、ここに、種々の情報を含めたＶＭＧ（Video Manager）ファイルが作成される。
【００３９】
エンコード処理された主映像データ、オーディオデータ及び副映像データは、一定サイズ（２０４８バイト）のパックに細分化される。なお、パック内には、適宜、再生時刻を示すＰＴＳ（プレゼンテーションタイムスタンプ）や、デコード時刻を示すＤＴＳ（デコーディングタイムスタンプ）等のタイムスタンプが記述される。副映像のＰＴＳについては、同じ再生時間帯の主映像データあるいはオーディオデータのＰＴＳより任意に遅延させた時間を記述することができる。
【００４０】
そして、各データのタイムコード順に再生可能なように、ビデオオブジェクトユニット（ＶＯＢＵ）単位でその先頭にＲＤＩパック(ナビゲーションパックに相当)を配置しながら各セルが配置される。これにより、複数のセルで構成されるＶＯＢが構成される。このＶＯＢを１つ以上集めてなるＶＯＢＳが、ムービービデオファイルにプログラムとして記録される。
【００４１】
なお、ＤＶＤビデオプレーヤからＤＶＤ再生信号をデジタルコピーする場合には、上記セル、プログラムチェーン、管理テーブル、タイムスタンプ等の内容は始めから決まっているので、これらを改めて作成する必要はない。
【００４２】
光ディスク１０１に対して、情報の読み書き（録画及び／または再生）を実行する部分としては、光学系、駆動系を有するディスクドライブ１０２と、データプロセッサ１１３と、一時記憶部１１４と、ＳＴＣ（システムタイムカウンタまたはシステムタイムクロック）１１５とを備えている。
【００４３】
一時記憶部１１４は、データプロセッサ１１３、ディスクドライブ１０２介して光ディスク１０１に書き込まれるデータ（エンコーダ部１０４から出力されるデータ）のうちの一定量分をバッファリングしたり、ディスクドライブ１０２、データプロセッサ１１３を介して光ディスク１０１から再生されたデータ（デコーダ部１０５に入力されるデータ）のうちの一定量分をバッファリングするのに利用される。ディスクドライブ１０２は、光ディスク１０１に対する回転制御系、レーザ駆動系、光学系などを有する。
【００４４】
例えば、一時記憶部１１４が４ＭＢ（Mega Bytes）の半導体メモリ（ＤＲＡＭ）で構成されるときは、平均４Ｍbps（ビット・パー・セカンド）の記録レートでおよそ８秒分の記録または再生データのバッファリングが可能である。また、一時記憶部１１４が１６ＭＢのＥＥＰＲＯＭ（Electrically Erasable Programmable Read-Only Memory）（フラッシュメモリ）で構成されるときは、平均４Ｍbpsの記録レートでおよそ３０秒の記録または再生データのバッファリングが可能である。
【００４５】
さらに、一時記憶部１１４が１００ＭＢの超小型ＨＤＤで構成されるときは、平均４Ｍbpsの記録レートで３分以上の記録または再生データのバッファリングが可能となる。
【００４６】
一時記憶部１１４は、録画途中で光ディスク１０１を使い切ってしまった場合において、光ディスク１０１が新しいディスクに交換されるまでの短時間の録画情報を一時記憶しておくことにも利用できる。
【００４７】
しかし、この記録再生装置１００では、大きな容量を持つＨＤＤ１０３が設けられているので、このＨＤＤ１０３を活用することができる。
【００４８】
また、一時記憶部１１４は、ディスクドライブ１０２として高速ドライブ（２倍速以上）を採用した場合において、一定時間内に通常ドライブより余分に読み出されたデータを一時記憶しておくことにも利用できる。再生時の読み取りデータを一時記憶部１１４にバッファリングしておけば、振動ショック等で図示しない光ヘッドが読み取りエラーを起こしたときでも、一時記憶部１１４にバッファリングされた再生データを切換え使用することによって、再生映像が途切れないようにすることができる。
【００４９】
データプロセッサ１１３は、マイクロコンピュータブロック１０６の制御にしたがって、エンコーダ部１０４から出力されたＤＶＤ記録データをディスクドライブ１０２に供給したり、光ディスク１０１から再生したＤＶＤ再生信号をディスクドライブ１０２から取り込んだりする他、光ディスク１０１に記録された管理情報を書換えたり、光ディスク１０１に記録されたデータ（ファイルあるいはビデオオブジェクト）の削除をしたりする。
【００５０】
マイクロコンピュータブロック１０６は、ＭＰＵ（Micro Processing Unit）またはＣＰＵ（Central Processing Unit）と、制御プログラム等が書き込まれたＲＯＭ（Read Only Memory）と、プログラム実行に必要なワークエリアを提供するためのＲＡＭとを含んでいる。
【００５１】
マイクロコンピュータブロック１０６のＭＰＵには、ユーザが操作するキー入力部１１６が接続されており、このキー入力部１１６からの操作情報を受け、ＲＯＭに格納された制御プログラムに基づいて、ＲＡＭをワークエリアとして用いて、欠陥場所検出、未記録領域検出、録画情報記録位置設定、ＵＤＦ（Universal Disk Format）記録、ＡＶアドレス設定等を実行する。
【００５２】
また、マイクロコンピュータブロック１０６は、システム全体を制御するために必要な情報処理部を有するもので、機能としてコピー情報検知・設定部、ディレクトリ検知部、ＶＭＧ管理情報作成部を備える。
【００５３】
さらに、マイクロコンピュータブロック１０６は、赤外線受光部１１７を介してリモートコントローラ１１８からのリモートコントロール信号を受けて、記録再生装置１００全体の機能の切換え、調整、各種設定を行う。
【００５４】
さらにまた、マイクロコンピュータブロック１０６には、表示部１１９とメモリ１２０が接続され、表示部１１９はマイクロコンピュータブロック１０６の制御の下、記録再生装置１００の機能を設定するためのＧＵＩ（Graphical User Interface）形式の画面の表示を行う他、ＭＰＵの実行結果のうち、ディスクドライブ１０２のユーザに通知すべき内容を表示する。また、メモリ１２０は設定されたデータを保存するものであり、フラッシュメモリ等で構成されている。表示部１１９に代えて、図示しないモニタディスプレイを用いることも可能である。
【００５５】
なお、マイクロコンピュータブロック１０６が、ディスクドライブ１０２、データプロセッサ１１３、エンコーダ部１０４及び／またはデコーダ部１０５等を制御するタイミングは、ＳＴＣ１１５からの時間データに基づいて、実行することができる。録画や再生の動作は、通常はＳＴＣ１１５からのタイムクロックに同期して実行されるが、それ以外の処理は、ＳＴＣ１１５とは独立したタイミングで実行されてもよい。
【００５６】
デコーダ部１０５は、パック構造を持つ映像情報から各パックを分離して取り出すセパレータ１２１と、パック分離やその他の信号処理実行時に使用するメモリ１２２と、セパレータ１２１で分離される主映像データ（ビデオパックの内容）、オーディオデータ（オーディオパック内容）及び副映像データ（副映像パックの内容）それぞれデコードするＶデコーダ、Ａデコーダ及びＳＰデコーダとで構成されるＶ、Ａ、ＳＰデコーダ群１２３と、Ｖデコーダから得られる主映像データにＳＰデコーダから得られる副映像データを適宜合成し、主映像にメニュー、ハイライトボタン、字幕やその他の副映像を重ねて出力するビデオプロセッサ１２４を備えている。
【００５７】
ビデオプロセッサ１２４の出力は、ビデオミクサー１２５に入力される。ビデオミクサー１２５では、テキストデータの合成が行われる。またビデオミクサー１２５には、また、ＴＶチューナ１１２やＡ／Ｖ入力部１１１からの信号を直接取り込むラインも接続されている。ビデオミクサー１２５には、バッファとして用いるフレームメモリ１２６が接続されている。ビデオミクサー１２５の出力がデジタル出力の場合は、インターフェース（Ｉ／Ｆ）１２７を介して外部へ出力され、アナログ出力の場合は、ＤＡＣ（デジタルアナログコンバータ）１２８を介して外部へ出力される。
【００５８】
デコーダ群１２３のＡデコーダの出力がデジタル出力の場合は、インターフェース（Ｉ／Ｆ）１２９を介して外部へ出力され、アナログ出力の場合はセレクタ１３０を介してＤＡＣ１３１に供給され、アナログ変換されて外部に出力される。セレクタ１３０は、マイクロコンピュータブロック１０６からのセレクト信号により、ＴＶチューナ１１２やＡ／Ｖ入力部１１１からの信号を直接モニタするとき、ＡＤＣ１０７からの出力を選択することも可能である。アナログオーディオ信号は、図示しない外部コンポーネント（２チャンネル〜６チャンネルのマルチチャンネルステレオ装置）に供給される。
【００５９】
上記の記録再生装置において、ビデオ信号の流れを簡単に説明すると、以下のようになる。まず、入力されたＡＶ信号はＡＤＣ１０７でデジタル変換される。ビデオ信号はＶエンコーダへ、オーディオ信号はＡエンコーダへ、文字放送等の文字データはＳＰエンコーダへ入力される。ビデオ信号はＭＰＥＧ圧縮され、オーディオ信号はＡＣ−３圧縮またはＭＰＥＧオーディオ圧縮され、文字データはランレングス圧縮される。
【００６０】
各エンコーダからの圧縮データは、パック化された場合に２０４８バイトになるようにパケット化されて、フォーマッタ１０９へ入力される。フォーマッタ１０９では、各パケットがパック化され、さらに、多重化され、データプロセッサ１１３へ送られる。
【００６１】
ここで、フォーマッタ１０９は、アスペクト情報を元に、ＲＤＩパックを作成し、ＶＯＢＵの先頭に配置する。データプロセッサ１１３は、１６パック毎にＥＣＣ（Error Correcting Code）ブロックを形成し、エラー訂正データを付け、その出力をディスクドライブ１０２を介して光ディスク１０１へ記録する。ここで、ディスクドライブ１０２がシーク中やトラックジャンプなどの場合のため、ビジィー状態の場合には、一時記憶部１１４（例えばＨＤＤバッファ部）へ入れられ、ＤＶＤ−ＲＡＭドライブ部（ディスクドライブ１０２）の準備ができるまで待つこととなる。
【００６２】
さらに、フォーマッタ１０９では、録画中、各切り分け情報を作成し、定期的にマイクロコンピュータブロック１０６のＭＰＵへ送る（ＧＯＰ（Group Of Picture）先頭割り込み時などの情報）。
【００６３】
切り分け情報としては、ＶＯＢＵのパック数、ＶＯＢＵ先頭からのＩ（Intra）ピクチャのエンドアドレス、ＶＯＢＵの再生時間などである。
【００６４】
同時に、アスペクト情報を録画開始時にＭＰＵへ送り、ＭＰＵはＶＯＢストリーム情報（ＳＴＩ）を作成する。ここで、ＳＴＩは、解像度データ、アスペクトデータ等を保存し、再生時、各デコーダ部はこの情報を元に初期設定を実行する。
【００６５】
また、録再ＤＶＤでは、ビデオファイルは１ディスクに１ファイルとしている。
【００６６】
ここで、ＤＶＤを利用したリアルタイム録再機において、注意すべき点は、データをアクセスする場合において、そのアクセス（シーク）している間に、とぎれないで再生を続けるために、最低限連続するセクタが必要になってくる。この単位をＣＤＡ（Contiguous Data Area）という。つまりシームレス再生を実現するために予め取り決められているデータサイズである。
【００６７】
このＣＤＡは、ＥＣＣブロック単位となっている方が有利である。そのため、ＣＤＡサイズは１６セクタの倍数にし、ファイルシステムでは、このＣＤＡ単位で記録を行っている。ただし、この場合、ディスク内にうまくＣＤＡの大きさの空き領域がない場合などは、別のファイルが使用している短いセクタが、ＣＤＡ内に入り込むことも許している。これにより、ＣＤＡ単位で記録することができる。
【００６８】
図２には、ＶＭＧの階層構造を示し、その中でデータ再生順序を管理する系統について詳しく示している。
【００６９】
ビデオファイルに記録されたデータ再生順序は、図２に示すような、ＰＧＣで定義されている。このＰＧＣには、セル（Ｃｅｌｌ）が定義され、さらにセル（Ｃｅｌｌ）には、再生すべき対象となるＶＯＢが定義されている。このＰＧＣの具体的情報を記録してある部分がＶＭＧファイルの中のプログラムチェーン情報（ＰＧＣＩ）部分である。ＰＧＣＩには、２種類が存在し、１つはオリジナルＰＧＣＩ（ＯＲＧ＿ＰＧＣＩ）、もう1つはユーザディファインドＰＧＣテーブル（ＵＤ＿ＰＧＣＩＴ）である。
【００７０】
ＵＤ＿ＰＧＣは、ＯＲＧ＿ＰＧＣの中の一部をユーザが選択することにより、その選択したパート（チャプター或はタイトル）を任意に繋げて管理する情報であり、プレイリストとも言われる。このＵＤ＿ＰＧＣは複数作成することができる。プログラムチェーン情報としては、このプログラムチェーンに対応するプログラムが消去可能か否かを示すプログラムタイプ（ＰＧ＿ＴＹ）、このプログラム内のセル数、このプログラムで記述されるプライマリーテキスト情報（ＰＲＭ＿ＴＸＴＩ）、テキスト情報へのポインタ番号（ＩＴ＿ＴＸＴ＿ＳＲＰＮ）、代表画像情報（ＲＥＰ＿ＰＩＣＴＩ＝セル番号及びそのセル内でのポインタ）が記述される。
【００７１】
以上のような、プログラムの再生順序を管理するための情報は、プログラム管理情報であり、記録媒体のプログラム管理情報記録領域に記録される。
【００７２】
次に、本発明に係わるコンテンツ記録再生装置のコンテンツ編集機能について説明する。
【００７３】
図３は、本発明に係わるコンテンツ編集機能の、基本的概念を説明するために示す図である。本発明においては、コンテンツ編集機能が起動されると、プログラム管理情報をメモリの保存領域にコピーし、その後、プログラム管理情報を編集領域にて編集する。編集作業の過程で、ユーザの意図しないタイトルの登録、削除が実行された場合、編集領域において編集途中にあるプログラム管理情報を消去してから、保存領域に保存されていた編集前のデータに基づいて新たなプログラム管理情報を、編集領域に生成する。すなわち、プログラム管理情報の編集領域への復元処理が実行される。
【００７４】
図３（ａ）は、編集領域３０１内のプログラム管理情報の内容を示すもので、複数の編集対象タイトルを示すデータが存在している。プログラム管理情報編集が起動されると、そのデータがまず保存領域３０２にコピーされる。
【００７５】
ユーザによって図３（ｂ）に示すように編集領域３０１内のデータに対して編集作業が実行されるが、その過程でユーザによって例えば「取り消し」指示が実行されると、編集領域３０１で編集中のデータを削除し、次に保存領域３０２に保存されていたデータに基づいて編集領域３０１に新たなプレイリストを生成する。この結果、編集領域３０１のデータは、図３（ｃ）に示すように編集開始時のデータとなる。この「取り消し」指示は、例えばリモートコントローラ１１８の取り消しキー等の所定キーを１度操作することで実行させることが可能である。
【００７６】
このように、編集作業の過程で、ユーザの意図しないタイトルの登録、削除が実行された場合に、ユーザは簡単な操作で、元の状態に復帰させることができるので、意図しないタイトルの削除操作とか、削除してしまったタイトルを再度登録する操作とか、タイトル毎に個々に作業をする必要がなく、一括で初期状態に戻すことが可能であるため操作性が向上するものである。
【００７７】
次に、図３に示す本発明に係わるコンテンツ編集処理の手順を図４〜図６に示すフローチャートに基づいて説明する。
【００７８】
図４は、タイトル情報の編集取り消し処理を説明するために示すフローチャートである。図４において、ステップＳ４０１で編集が開始され、ステップＳ４０２で、保存領域に編集対象のタイトル情報を保存する。
【００７９】
次いで、ステップＳ４０３で編集領域の編集対象タイトル情報を編集し、ステップＳ４０４で編集の確定を行う。次いでステップＳ４０５で編集確定を取り消すか否かの判定がなされ、取り消すと判定された場合には、ステップＳ４０６で編集領域のタイトル編集情報を消去し、次いでステップＳ４０７で保存領域の編集対象タイトル情報を編集領域に復元する。
【００８０】
ステップＳ４０７の処理が終了するか、またはステップＳ４０５で編集確定を取り消さないと判定された場合には、ステップＳ４０８で編集が完了したか否かの判定がなされ、完了していない場合には、ステップＳ４０３に戻り、完了した場合にはステップＳ４０９で処理を終了する。
【００８１】
図５は、編集対象タイトル情報の保存処理を説明するために示すフローチャートであり、オリジナルプルグラムに対するチャプター編集処理と、プレイリスト編集処理を纏めて示してある。
【００８２】
図５において、ステップＳ５０１で保存領域に編集対象タイトル情報を保存する処理が開始され、ステップＳ５０２でＰＧＣＩデータが取得されると共に、プレイリスト編集の場合にＰＬ_ＳＲＰ（プレイリストサーチポインタ）データを取得する（オリジナルプログラムに対する編集の場合には、これを取得しない）。なお、ＰＬ_ＳＲＰは、プレイリストの基本情報を格納している情報である。
【００８３】
次に、ステップＳ５０３でエントリーポイント（チャプター）のみの編集か否かの判定がなされ、エントリーポイントのみの編集でないと判定された場合に、ステップＳ５０４に移って、編集前のＰＬ_ＳＲＰデータ及びＰＧＣＩデータを保存領域にコピーする。
【００８４】
次いで、ステップＳ５０５でＩＴ_ＴＸＴ（アイテムテキスト）が存在するか否かの判定がなされ、存在すると判定されたらステップＳ５０６でＩＴ_ＴＸＴデータを取得し、ステップＳ５０７でＩＴ_ＴＸＴデータを保存領域に保存する。なお、ＩＴ_ＴＸＴは、ＰＲＭ_ＴＸＴＩ（プライマリテキストインフォメーション）を補完する可変長テキストである。
【００８５】
ＩＴ_ＴＸＴ情報の保存処理が終了するか、またはステップＳ５０３でエントリーポイントのみの編集であると判定されるか、あるいは、ステップＳ５０５でＩＴ_ＴＸＴ情報がないと判定された場合には、ステップＳ５０８でこのタイトルの最初のＭ_ＣＩ（ムービーセルインフォメーション）ポインタを取得する。Ｍ_ＣＩは動画のセル情報である。
【００８６】
次に、ステップＳ５０９でこのタイトルのＭ_ＣＩ，Ｓ_ＣＩ（スチルセルインフォメーション）を全て取得済みであるか否かの判定がなされ、取得済みでない場合に、ステップＳ５１０でＭ_ＣＩ，Ｓ_ＣＩ情報を取得し、次いでステップＳ５１１でＭ_ＣＩ，Ｓ_ＣＩ情報を保存し、ステップＳ５１２で次のＭ_ＣＩ，Ｓ_ＣＩポインタを取得してステップＳ７０９に戻る。なお、Ｓ_ＣＩは、静止画のセル情報である。
【００８７】
ステップＳ５０９でこのタイトルのＭ_ＣＩ，Ｓ_ＣＩを全て取得済みであると判定された場合には、ステップＳ５１３で処理を終了する。
【００８８】
ステップＳ５０９〜Ｓ５１２の処理ループによって、編集前タイトルの全てのＭ_ＣＩ，Ｓ_ＣＩ情報すなわち、Ｍ_Ｃ_ＧＩ（ムービーセルゼネラルインフォメーション）、Ｍ_Ｃ_ＥＰＩ（ムービーセルエントリポイントインフォメーション）、Ｓ_Ｃ_ＧＩ（スチルセルゼネラルインフォメーション）、Ｓ_Ｃ_ＥＰＩ（スチルセルエントリポイントインフォメーション）情報が保存領域に保存（コピー）される。
【００８９】
図６は、編集領域の消去処理を説明するために示すフローチャートであり、図７に示す編集対象タイトル情報の保存領域への保存処理が実行された後で実行される。図６も、オリジナルプルグラムに対するチャプター編集処理と、プレイリスト編集処理を纏めて示してある。
【００９０】
図６において、ステップＳ６０１で編集領域のタイトル編集情報の消去を開始し、ステップＳ６０２でＰＧＣＩ情報を取得すると共に、プレイリスト編集の場合にＰＬ_ＳＲＰ（プレイリストサーチポインタ）データを取得する（オリジナルプログラムに対する編集の場合には、これを取得しない）。
【００９１】
次いでステップＳ６０３で、このタイトルの最初のＭ_ＣＩ，Ｓ_ＣＩポインタを取得する。次にステップＳ６０４でこのタイトルのＭ_ＣＩ，Ｓ_ＣＩを全て取得済みか否かの判定を行い、全て取得済みでない場合にはステップＳ６０５でＭ_ＣＩ，Ｓ_ＣＩ情報を削除し、ステップＳ６０６で次のＭ_ＣＩ，Ｓ_ＣＩポインタを取得してステップＳ６０４に戻る。
【００９２】
ステップＳ４０３〜Ｓ４０６の処理ループで、編集領域の全てのＭ_ＣＩ，Ｓ_ＣＩデータすなわち、Ｍ_Ｃ_ＧＩ、Ｍ_Ｃ_ＥＰＩ、Ｓ_Ｃ_ＧＩ、Ｓ_Ｃ_ＥＰＩデータが削除される。
【００９３】
ステップＳ６０４でこのタイトルの全てのＭ_ＣＩ，Ｓ_ＣＩを取得済みであると判定されたら、ステップＳ６０７でエントリーポイント（チャプター）のみの編集か否かの判定が行われ、エントリーポイントのみの編集でないと判定されたら、ステップＳ６０８でＩＴ_ＴＸＴが存在するか否かの判定がなされ、存在すると判定されたらステップＳ６０９でＩＴ_ＴＸＴ情報を削除する。
【００９４】
ＩＴ_ＴＸＴ情報の削除処理が終了したか、またはステップＳ６０８でＩＴ_ＴＸＴが存在しないと判定された場合には、ステップＳ６１０で、ＰＧＣＩ及びＰＬ_ＳＲＰ情報を削除して、ステップＳ６１１で処理を終了する。また、ステップＳ８０７でエントリーポイントのみの編集であると判定された場合にも、ステップＳ６１１で処理を終了する。なお、他のタイトルがステップＳ６０９で削除するＩＴ_ＴＸＴ情報と同一ＩＴ_ＴＸＴ情報を参照している場合には、削除処理を実行しない。
【００９５】
図７は、保存領域から編集領域への復元処理を説明するためのフローチャートである。図７においても、オリジナルプルグラムに対するチャプター編集処理と、プレイリスト編集処理を纏めて示してある。
【００９６】
図７において、ステップＳ７０１で、保存領域の編集対象タイトル情報の編集領域への復元処理が開始され、ステップＳ７０２でエントリーポイント（チャプター）のみの編集か否かの判定が行われ、エントリーポイントのみの編集でない場合には、ステップＳ７０３で、保存領域のＰＧＣＩ情報及びＰＬ_ＳＲＰ情報を元に、編集領域にＰＧＣＩ及びＰＬ_ＳＲＰを新規作成する。
【００９７】
次いでステップＳ７０４で保存領域にＩＴ_ＴＸＴ情報が存在するか否かの判定がなされ、存在する場合にはステップＳ７０５で保存領域のＩＴ_ＴＸＴ情報に基づいてＩＴ_ＴＸＴを新規作成する。ただし、既に同一ＩＴ_ＴＸＴが他のタイトルにて使用されている場合にはＩＴ_ＴＸＴの新規作成は行わない。
【００９８】
ＩＴ_ＴＸＴの新規作成処理が終了したか、またはステップＳ７０２でエントリーポイントのみの編集であると判定されたか、あるいはステップＳ７０４でＩＴ_ＴＸＴ情報が存在しないと判定された場合には、ステップＳ７０６で保存領域に保存されているＭ_ＣＩ，Ｓ_ＣＩ情報を取得する。
【００９９】
次いで、ステップＳ７０７で、保存領域に保存したＭ_ＣＩ，Ｓ_ＣＩ情報を全て取得済みか否かの判定がなされ、取得済みでないと判定されたら、保存領域に保存したＭ_ＣＩ，Ｓ_ＣＩ情報の内容を復元して、ステップＳ７０６に戻る。ステップＳ７０７で保存領域に保存したＭ_ＣＩ，Ｓ_ＣＩ情報を全て取得済みであると判定された場合には、ステップＳ７０９で処理を終了する。
【０１００】
ステップＳ７０６〜Ｓ７０８の処理ループによって、保存領域に保存されている全てのＭ_ＣＩ，Ｓ_ＣＩすなわちＭ_Ｃ_ＧＩ、Ｍ_Ｃ_ＥＰＩ、Ｓ_Ｃ_ＧＩ、Ｓ_Ｃ_ＥＰＩ情報が編集領域に新規に作成される。以上によって、編集前のタイトルが復元される。
【０１０１】
以上説明したように、本発明によれば、タイトルを編集する際に、編集前のデータを、一旦メモリの保存領域に保存しておくことにより、編集の過程で、編集開始時の状態に戻したい場合には、例えばリモートコントローラの取り消しキーを操作するだけで、保存領域に保存されているデータに基づいて編集対象のデータが復元されるため、操作性が著しく改善するものである。
【０１０２】
さらに、プレイリスト編集の具体的操作手順について、図８及び図９を参照して詳細に説明する。
【０１０３】
図１に示す記録再生装置１００において、ユーザはリモートコントローラ１１８を操作して、マイクロコンピュータブロック１０６に対して、プレイリスト編集機能の起動を指示する。それによって、マイクロコンピュータ１０６は、ＲＡＭ内にプレイリストデータ編集領域と、保存領域を確保し、メモリ１２０に保存されているプレイリストデータを読み出して、編集領域と保存領域にコピーする。
【０１０４】
さらに、マイクロコンピュータブロック１０６は、表示部１１９にプレイリスト編集用画面を表示させる。
【０１０５】
すなわち、プレイリスト編集用画面は図８に示すように、画面８０１の上部に光ディスク１０１に記録されているタイトルあるいはそのチャプターまたクリップの先頭画像をサムネイル表示するサムネイル表示部４０２を有しており、図８の場合には、その表示部４０２に１０個のクリップＡ〜Ｊがサムネイル表示されている。
【０１０６】
さらに、画面８０１のサムネイル表示部８０２の下部には、プレイリスト編集表示部８０３が設けられている。
【０１０７】
図８（ａ）は、初期状態を示すものであり、プレイリスト編集表示部８０３には、何ら表示されていない。すなわち、プレイリストには何らタイトル、チャプター、クリップが登録されていないことを示している。
【０１０８】
また、初期状態においては、１０個のクリップの内先頭のクリップＡに斜線で示すフォーカス８０４が位置しており、リモートコントローラ１１８の図示しない例えばカーソルキーを操作することで、フォーカス８０４をプレイリストに登録したいクリップに移動させることが可能である。三角マーク８０５は頁繰りあるいはスクロール可能方向を示すものであり、クリップＪにフォーカス４０４を移動させた後、さらに、三角マーク８０５方向に、リモートコントローラ１１８のカーソルキーを操作することで、新たな頁（クリップＫ〜Ｔ）が表示されるか、スクロールされてクリップＫ、Ｌ、…が順次表示される。
【０１０９】
図８（ｂ）に示すように、プレイリストに登録したいクリップＨにフォーカス８０４を移動させてから、リモートコントローラ１１８の例えば決定キーを操作してそれを確定し、フォーカス８０４をプレイリスト編集表示部８０３に移動させると図８（ｃ）に示す表示状態になる。
【０１１０】
図８（ｃ）においては、プレイリスト編集表示部８０３にカーソル８０６が表示され、このカーソル８０６によってプレイレストへの登録位置（再生順位）が設定される。サムネイル表示部８０２では、クリップＨがプレイリストに登録されるべく選択されていることを示している。この状態において、ユーザがリモートコントローラ１１９の例えば決定キーを操作することで、図８（ｄ）に示すように、プレイリスト編集表示部８０３にクリップＨが表示されて、それがプレイリストの１番目に再生されるクリップとして設定される。
【０１１１】
仮に、このとき、クリップＨのプレイリストへの登録が、ユーザの意向とは異なり間違って行われたとすると、ユーザは例えばリモートコントローラの取り消しキーを操作することで、保存領域に保存されていた編集開始時のデータを再び編集領域に取り込むことになる。すなわち、画面８０１の内容は図８（ａ）の状態に戻る。
【０１１２】
この処理を、保存領域に保存されているデータを用いずに行うとすると、プレイリスト編集表示部８０３に表示されているクリップＨにフォーカスを移動させてから、リモートコントローラの例えば削除キーを操作するという少なくとも２アクションが必要になり、取り消しキーを１回操作するだけで済む本発明よりも操作性がよくない。
【０１１３】
以上のような処理を経て生成されたプレイリストは、タイトルを付して保存する。このため、画面８０１の中央部にプレイリストのタイトル名入力部８０７が設けられており、ユーザはリモートコントローラ１１８を駆使してタイトル名を入力する。タイトル名の入力が完了したら、リモートコントローラ１１８の決定キーを操作することで、生成されたプレイリストがそのタイトル情報と共に記録再生装置１００のメモリ１２０に記憶される。
【０１１４】
図９は、プレイリスト編集表示部に表示されたプレイリスト中に残しておくべきクリップを誤って削除してしまった場合の対応について説明するものであり、リモートコントローラ１１８の操作によって、プレイリスト編集機能を起動させると、マイクロコンピュータブロック１０６は、そのＲＡＭ内に編集領域と保存領域を確保し、メモリ１２０に保存されているプレイリストデータを読み出して各領域にコピーし、さらに、図５（ａ）に示すように、サムネイルと共に表示部１１９に表示させる。
【０１１５】
すなわち、図５（ａ）において、画面５０１の上部に光ディスク１０１に記録されているタイトルあるいはそのチャプターまたクリップの先頭画像をサムネイル表示するサムネイル表示部５０２を有しており、図５の場合には、その表示部５０２に７個のクリップＫ〜Ｑがサムネイル表示されている。
【０１１６】
さらに、画面５０１のサムネイル表示部５０２の下部には、プレイリスト編集表示部５０３が設けられ、そこに４個のクリップＨ，Ｂ，Ｐ，Ｍが表示されている。
【０１１７】
なお、サムネイル表示部５０２のクリップＭに斜線で示すフォーカス５０４が位置している状況が示されている。さらにサムネイル表示部５０２のクリップＫの左に表示されている三角マーク５０５は、頁繰りあるいはスクロール可能方向を示すものであり、前頁への頁繰りか、前方向へのスクロールが可能であることを示している。
【０１１８】
図５（ｂ）は、フォーカス５０４を、サムネイル表示部５０２からプレイリスト編集表示部５０３へ移動させた状態を示すもので、クリップＰにフォーカス５０４が存在している。
【０１１９】
図５（ｃ）は、プレイリスト編集表示部５０３に表示された４個のクリップＨ，Ｂ，Ｐの内、削除対象のクリップＨにフォーカス５０４を移動させた状態を示すものである。この状態において、リモートコントローラ１１８の例えば削除キーを操作すれば、クリップＨがプレイリスト編集表示部５０３から消えて、次のクリップＢがクリップＨが存在した位置に移動し、フォーカス５０４もクリップＢの位置に留まる。
【０１２０】
ここで、クリップＨの削除がユーザの意図しないものであったとしたら、リモートコントローラ１１８の取り消しキーを操作することによって、編集領域の編集中プレイリストデータを削除後、ＲＡＭの保存領域に保存されていたプレイリストデータが読み出されて、編集領域に新規プレイリストとして作成される。すなわち、プレイリストとして、編集を開始した時点のデータが編集領域に復元されることになる。このとき、表示部１１９の表示は図５（ａ）に示すものとなる。
【０１２１】
以上の処理を、戻るキーを使わずに行うとすれば、まず、フォーカス５０４をサムネイル表示部５０２に移動させて、クリップＨに位置させてリモートコントローラ１１８の決定キーを操作してクリップＨをプレイリストに登録するクリップとして選択する。次いでフォーカス５０４をプレイリスト編集表示部５０３に移動させて、クリップＢに位置させ、リモートコントローラ１１８の決定キーを操作することで、クリップＨをクリップＢの前に位置（順位）に登録する。このように複雑な操作を行う必要があり、保存領域のプレイリストデータを編集領域に復元するという本発明に比べて操作性がはるかに悪いことが明白である。
【０１２２】
プレイリスト編集が完了したら、タイトル名入力部５０６に、編集したプレイリストに付すタイトル名を入力してリモートコントローラ１１８の決定キーを操作することで、生成したプレイリストがそのタイトル情報と共にメモリ１２０に記憶される。
【０１２３】
なお、以上説明した本発明の実施の形態では、マイクロコンピュータブロック１０６のＲＡＭに編集領域と保存領域を設けるものとしたが、例えばメモリ１２０のプレイリストデータが書き込まれた領域をそのまま保存領域として用いて、ＲＡＭに編集領域を設けたり、あるいは逆に、メモリ１２０に編集領域、ＲＡＭに保存領域を設けるように構成することもできるものである。
【０１２４】
以上説明したように、本発明によれば、オリジナルタイトル（プログラム）あるいはプレイリストを編集する際に、編集前のデータを、一旦メモリの保存領域に保存しておくことにより、編集の過程で、編集開始時の状態に戻したい場合には、例えばリモートコントローラの取り消しキーを操作するだけで、保存領域に保存されているデータに基づいて編集対象のデータが復元されるため、操作性が著しく改善するものである。
【０１２５】
なお、本発明は以上説明した実施の形態に限定されるものではなく、趣旨を逸脱しない範囲で種々変形可能である。
【図面の簡単な説明】
【０１２６】
【図１】この発明に係わるコンテンツ記録再生装置の一実施の形態を説明するために示す回路ブロック図。
【図２】図１に示すコンテンツ記録再生装置において、記録媒体に記録されるコンテンツを管理する管理情報を説明するために示す構成図。
【図３】この発明に係わるコンテツンの編集機能の概要を説明するために示す構成図。
【図４】この発明に係わるコンテンツ編集機能の処理手順を説明するために示すフローチャート。
【図５】この発明に係わるコンテンツ編集機能の処理手順を説明するために示すフローチャート。
【図６】この発明に係わるコンテンツ編集機能の処理手順を説明するために示すフローチャート。
【図７】この発明に係わるコンテンツ編集機能の処理手順を説明するために示すフローチャート。
【図８】この発明に係わるプレイリスト編集機能の具体的操作手順を説明するために示す構成図。
【図９】この発明に係わるプレイリスト編集機能の具体的操作手順を説明するために示す構成図。
【符号の説明】
【０１２７】
１００…コンテンツ記録再生装置
１０１…光ディスク
１０２…ディスクドライブ
１０３…ＨＤＤ
１０４…エンコーダ部
１０５…デコーダ部
１０６…マイクロコンピュータブロック
１０７…ＡＤＣ
１０８…Ｖ，Ａ，ＳＰエンコーダ群
１０９…フォーマッタ
１１０…バッファメモリ
１１１…Ａ／Ｖ入力部
１１２…ＴＶチューナ
１１３…データプロセッサ
１１４…一時記憶部
１１５…ＳＴＣ
１１６…キー入力部
１１７…赤外線受光部
１１８…リモートコントローラ
１１９…表示部
１２０…メモリ
１２１…セパレータ
１２２…メモリ
１２３…Ｖ，Ａ，ＳＰデコーダ群
１２４…ビデオプロセッサ
１２５…ビデオミクサー
１２６…フレームメモリ
１２７，１２９…Ｉ／Ｆ
１２８，１３１…ＤＡＣ
１３０…セレクタ
【図１】
2006268967.tif 000003
【図２】
2006268967.tif 000004
【図３】
2006268967.tif 000005
【図４】
2006268967.tif 000006
【図５】
2006268967.tif 000007
【図６】
2006268967.tif 000008
【図７】
2006268967.tif 000009
【図８】
2006268967.tif 000010
【図９】
2006268967.tif 000011